(57)【要約】  【課題】  通報者などの電話機からの通報を受信した際に、指令員の業務負担を軽減しつつ、通報者がより詳細な現状を把握できること。  【解決手段】  受付システムであって、指令制御装置７は携帯電話機６の電話番号を受信する送受信部７ａを備え、指令台８は携帯電話機６の電話番号と通報に関する情報とを関連付けて保存、管理する情報管理部８ｂを備え、情報管理部８ｂは携帯電話機６の電話番号と複数の転送先電話番号とを関連付けて保存する。携帯電話機６から通報を受信した際に、受信した携帯電話機６の電話番号と、情報管理部８ｂに保存した複数の電話番号とを照合し、情報管理部８ｂ内に一致する電話番号が有る場合、送受信部７ａで受信する動態送信機９の緊急車両の動態情報に応じて、情報管理部８ｂ内から１つの転送先電話番号を選択し、選択した電話番号を用いて携帯電話機６からの通報を所定の転送先に転送する。  【選択図】  図２
2009071669.tif 000002
【特許請求の範囲】
【請求項１】
外部との間で情報を送受信する受付装置と、
外部との間で情報を送受信する移動体に搭載される移動体端末とを備えた受付システムであって、
前記受付装置は、所定の外部機器から通信を受信した際に、前記外部機器の外部機器固有情報を受信する外部機器固有情報受信手段と、
前記外部機器固有情報と、所定の情報とを関連付けて保存、管理する受付情報管理手段を備え、
前記移動体端末は、同移動体の状況情報を前記受付装置に送信する移動体状況報知手段を備え、
前記受付情報管理手段は、前記所定の外部機器固有情報と、複数の転送先固有情報とを関連付けて保存し、
前記受付装置は、外部機器から通信を受信した際に、前記外部機器固有情報受信手段で同外部機器の外部機器固有情報を受信するとともに、受信した外部機器固有情報と、前記受付情報管理手段内で保存した外部機器固有情報とを照合し、
前記受付情報管理手段内に一致する外部機器固有情報がある場合、前記移動体端末から送信される移動体の状況情報に応じて、前記受付情報管理手段内から一の転送先固有情報を選択し、同転送先固有情報に基づいて、前記外部機器から受信した通信を、所定の転送先に転送することを特徴とする受付システム。
【請求項２】
外部との間で情報を送受信する受付装置と、
外部との間で情報を送受信する移動体に搭載される移動体端末とを備えた受付システムであって、
前記受付装置は、所定の外部機器から通信を受信した際に、前記外部機器の外部機器固有情報を受信する外部機器固有情報受信手段と、
前記外部機器固有情報と、所定の情報とを関連付けて保存、管理する受付情報管理手段を備え、
前記移動体端末は、同移動体の状況情報を前記受付装置に送信する移動体状況報知手段を備え、
前記受付情報管理手段は、前記所定の外部機器固有情報と、転送先固有情報とを関連付けて保存し、かつ、前記移動体端末から送信される移動体の状況情報に応じた転送先固有情報を保存、更新し、
前記受付装置は、外部機器から通信を受信した際に、前記外部機器固有情報受信手段で同外部機器の外部機器固有情報を受信するとともに、受信した外部機器固有情報と、前記受付情報管理手段内で保存した外部機器固有情報とを照合し、
前記受付情報管理手段内に一致する外部機器固有情報がある場合、前記外部機器固有情報と関連付けて保存されている転送先固有情報に基づいて、前記外部機器から受信した通信を、所定の転送先に転送することを特徴とする受付システム。
【請求項３】
外部との間で情報を送受信する受付装置と、
外部との間で情報を送受信する移動体に搭載される移動体端末とを備えた受付システムであって、
前記受付装置は、所定の外部機器から通信を受信した際に、前記外部機器の外部機器固有情報を受信する外部機器固有情報受信手段と、
前記移動体端末から送信される所定の条件に応じて変化する移動体の動態情報を受信する動態情報受信手段と、
移動体の情報毎に、同移動体の動態情報と転送先固有情報とをそれぞれ関連付けて保存する記憶手段と、
前記外部機器固有情報受信手段で受信した外部機器固有情報と、前記通信の内容に基づいて選定した移動体の情報と、前記動態情報受信手段で受信した同移動体の動態情報とをそれぞれ関連付けて保存し、前記動態情報受信手段で新たな移動体の動態情報を受信して、前記外部機器固有情報等と関連付けて保存した移動体の動態情報を、受信した新たな移動体の動態情報に更新して保存する情報管理手段とを備え、
前記受付装置は、外部機器から通信を受信した際に、前記外部機器固有情報受信手段で同外部機器の外部機器固有情報を受信するとともに、受信した同外部機器固有情報と、前記情報管理手段で保存した外部機器固有情報とを照合し、
前記情報管理手段内に一致する外部機器固有情報がある場合、前記受付装置は、前記情報管理手段内に保存され、または適宜更新される移動体の情報、及び同移動体の動態情報に基づき、前記記憶手段より転送先固有情報を抽出し、
外部機器から受信した通信を、抽出した前記転送先固有情報に基づき、所定の転送先に転送することを特徴とする受付システム。
【請求項４】
外部との間で情報を送受信する受付装置と、
外部との間で情報を送受信する移動体に搭載される移動体端末とを備えた受付システムであって、
前記受付装置は、所定の外部機器から通信を受信した際に、前記外部機器の外部機器固有情報を受信する外部機器固有情報受信手段と、
前記移動体端末から送信される所定の条件に応じて変化する同移動体の動態情報を受信する動態情報受信手段と、
移動体の情報毎に、同移動体の動態情報と転送先固有情報とをそれぞれ関連付けて保存する記憶手段と、
前記外部機器固有情報受信手段で受信した外部機器固有情報と、前記通信の内容に基づいて選定した移動体の情報と、前記動態情報受信手段で受信した同移動体の動態情報とをそれぞれ関連付けて保存し、前記動態情報受信手段で新たな移動体の動態情報を受信して、前記外部機器固有情報等と関連付けて保存した移動体の動態情報を、受信した新たな移動体の動態情報に更新して保存する情報管理手段とを備え、
前記情報管理手段は、前記情報管理手段内に保存され、または適宜更新される移動体の情報、及び同移動体の動態情報に基づき、前記記憶手段より転送先固有情報を抽出し、抽出した同転送先固有情報を前記外部機器固有情報等と関連付けて保存し、
前記受付装置は、外部機器から通信を受信した際に、前記外部機器固有情報受信手段で同外部機器の外部機器固有情報を受信するとともに、受信した同外部機器固有情報と、前記情報管理手段で保存した外部機器固有情報とを照合し、
前記情報管理手段内に一致する外部機器固有情報がある場合、前記受付装置は、外部機器から受信した通信を、前記情報管理手段に保存した転送先固有情報に基づき、所定の転送先に転送することを特徴とする受付システム。
【発明の詳細な説明】
【技術分野】
【０００１】
本発明は受付システムに係り、外部機器から、移動体を利用するサービスに関する通信を受信した際に、その通信を、移動体の状況に応じて適切な転送先に自動転送する受付システムに関する。
【背景技術】
【０００２】
従来から適切な転送先に電話を転送するものとして、予め登録された利用者から電話受付システムに、集荷や再配達の申込などを目的とする電話があった場合、電話受付システムが、利用者の住所に対応した担当地域識別情報、電話番号情報、住所及び利用履歴情報などに応じて、利用者からの電話を利用者の地域の担当者へ自動転送するもの等が知られている（特許文献１参照。）。
【０００３】
この電話受付システムは例えば、図９及び図１０に示すようになっている。電話受付システムを荷物運送サービスである、集荷申込を受付ける集荷申込受付システム１００に適用している。集荷申込受付システム１００は、サービス受付管理サーバ１１０と、このサービス受付管理サーバ１１０にそれぞれ接続している利用者情報管理データベース１２０及びサービス情報管理マスタ１３０とを備えている。サービス受付管理サーバ１１０、利用者情報管理データベース１２０及びサービス情報管理マスタ１３０はそれぞれパケット通信網１４０と接続されている。
【０００４】
パケット通信網１４０には、他にも複数の運送事業所内端末１５０及び複数の網サービス制御局（ＮＳＰ）１６０などが接続されている。また、網サービス制御局（ＮＳＰ）１６０は、共通線信号網１７０を介して複数の中継局（ＴＳ）１８０及び複数の加入者交換機（ＬＳ）１９０と接続され、各加入者交換機（ＬＳ）１９０は複数の利用者端末２００を管理している。
【０００５】
一方、固定電話網における中継局（ＴＳ）１８０は、相互接続関門交換機２１０を介して移動通信端末網とも接続され、相互接続関門交換機２１０、関門中継系移動通信制御局２２０、加入者系移動通信制御局２３０及び無線基地局２４０を介して利用者端末２００と担当ドライバーの移動通信端末２５０と通信可能に接続されている。
【０００６】
この集荷申込受付システム１００を利用するために予め利用者登録を行う。運送事業所内端末１５０或いは担当ドライバーの移動通信端末２５０から利用者情報管理データベース１２０に、集荷場所の住所に対応した担当地域識別情報、利用者の氏名、電話番号情報、住所などの利用者登録情報を蓄積するようにする。また、運送事業所内端末１５０や担当ドライバーの移動通信端末２５０からパケット通信網１４０を介して利用者情報管理データベース１２０にアクセスして、利用者登録情報に変更が生じた場合や、利用履歴情報、クレーム履歴情報などの付加情報が生じた場合にこれらの情報を入力し、利用者情報を随時変更・追加するようにする。
【０００７】
一方、サービス情報管理マスタ１３０には予め、担当地域識別情報、担当地域名、班名、担当ドライバー名（番号）、車両番号、車両種類（例えば冷蔵機能付の有無）、その担当ドライバーの移動通信端末２５０の電話番号情報などを入力し保存するようにする。また、運送事業所内端末１５０や担当ドライバーの移動通信端末２５０からサービス情報管理マスタ１３０にアクセスして、各地域の担当に変更が生じた場合にその変更情報を入力し、サービス関連情報の変更を行なうようにする。
【０００８】
利用者端末２００からの発信により、加入者交換機（ＬＳ）１９０が接続先電話番号情報（「０１２０」+「特定電話番号情報ＸＸＸＸ-ＹＹＹＹ」）を受信すると、加入者交換機（ＬＳ）１９０は、その接続先電話番号情報が「０１２０」を含んでいることを認識して「接続先電話番号情報」及び「発信電話番号情報」を網サービス制御局（ＮＳＰ）１６０に転送する。これを受けた網サービス制御局（ＮＳＰ）１６０は、接続先電話番号情報が特定接続先電話番号情報（「０１２０」+「特定電話番号情報ＸＸＸＸ-ＹＹＹＹ」）であるかを判断し、特定接続先電話番号情報であると判断した場合は、「発信電話番号情報」をパケット通信網１４０を介してサービス受付管理サーバ１１０に送信する。
【０００９】
「発信電話番号情報」を受信したサービス受付管理サーバ１１０は、サービス時間内であるか否かを判断し、時間外であると判断すれば「コールセンターの電話番号情報」「発信電話番号情報」及び「接続指令」を網サービス制御局（ＮＳＰ）１６０に送信し、網サービス制御局（ＮＳＰ）１６０に利用者端末２００と当該コールセンターとの間に通話経路を形成させる。
【００１０】
他方、サービス受付管理サーバ１１０がサービス時間内であると判断した場合には、「発信電話番号情報」が“利用者登録”をしている番号か否かを判定し、登録されていなければ、上記同様「コールセンターの電話番号情報」「発信電話番号情報」及び「接続指令」を網サービス制御局（ＮＳＰ）１６０に送信し、利用者端末２００と当該コールセンターとの間に通話経路を形成させる。
【００１１】
その一方、「発信電話番号情報」が“利用者登録”をしている番号であると判定した場合には、サービス受付管理サーバ１１０は、「発信電話番号情報」及び「担当地域識別情報検索要求」を利用者情報管理データベース１２０に送信する。これを受けた利用者情報管理データベース１２０は、当該「発信電話番号情報」に関連付けられた「担当地域識別情報」を検索し、検出した「担当地域識別情報」をサービス受付管理サーバ１１０に返信する。
【００１２】
そして、これを受けたサービス受付管理サーバ１１０は、「担当地域識別情報」及び「移動通信端末電話番号情報検索要求」をサービス情報管理マスタ１３０に送信し、これを受けたサービス情報管理マスタ１３０は、当該「担当地域識別情報」に関連付けられた「移動通信端末電話番号情報」を検索し、検出した「移動通信端末電話番号情報」をサービス受付管理サーバ１１０に返信する。
【００１３】
そして、これを受けたサービス受付管理サーバ１１０は、「移動通信端末電話番号情報」「発信電話番号情報」及び「接続指示命令」を網サービス制御局（ＮＳＰ）１６０に送信する。網サービス制御局（ＮＳＰ）１６０は、これを受けて当該「発信電話番号情報」と当該「移動通信端末電話番号情報」間に通話経路を形成させる接続指示命令を加入者交換機（ＬＳ）１９０に送り、これを受けた加入者交換機１９０は、当該「発信電話番号情報」の利用者端末２００と当該「移動通信端末電話番号情報」の移動通信端末２５０との間に通話経路を形成する。
【００１４】
以上のことから、利用者端末２００からの電話を利用者の地域を担当する担当ドライバーの移動通信端末２５０に直接接続させることにより、コールセンターのオペレータは、予め登録された利用者からの電話に応対する必要がなくなるので、オペレータは未登録の利用者の応対のみで済み、業務負担を軽減できるようになる。また、利用者と担当ドライバーとの直接通話を実現できるので、利用者はスムーズに集荷申込の受付を済ませることができるようになっている。
【００１５】
しかしながら、集荷申込受付システム１００では、集荷申込の対応状況を管理する手段を備えていないため、利用者端末２００からの電話は、担当ドライバーの集荷申込の対応状況にかかわらず、別の集荷申込の対応中のときにも、担当ドライバーの移動通信端末２５０に直接接続されるようになっている。したがって、担当ドライバーが直接応対できないときもあり、集荷申込受付システム１００では、利用者からの集荷申込の受付後、利用者からこの集荷申込の状況確認などを目的とする電話があった場合、この集荷申込の対応状況に応じて最も望ましい転送先に直接転送されるようになっていない。
【００１６】
ところで、１１９番通報を受付けて受付事案を作成し、所定の署所に現場への出動指令を行なう緊急通報指令システムでは、通報者からの１１９番通報後、通報者からこの通報の出動状況確認、搬送される患者の容態確認などを目的とする問合せの電話を消防本部で受ける場合がある。このときに、例えば、消防本部の指令員が応対するよりも通報の対応中の隊員の所持する移動通信端末に直接転送されるようになっていれば、通報者への詳細な現状伝達など適切な応対が必要な場合に有効である。
【００１７】
これにより、通報者からの１１９番通報後、通報者からこの通報の出動状況確認、搬送される患者の容態確認などを目的とする問合せの電話があった場合、この通報の対応状況に応じて適切な転送先に直接転送することができる緊急通報指令システムの登場が望まれている。また、上述のような電話受付システムに応用した場合にも、利用者からの電話によりサービスの利用申込を受付後、利用者からこのサービスの利用申込の状況確認などを目的とする問合せの電話があった場合、このサービスの利用申込の対応状況に応じて適切な転送先に直接転送することができる電話受付システムの登場が望まれている。
【特許文献１】特開２００３−３２３７１号公報（第５頁−第９頁、第１図、第２図）
【発明の開示】
【発明が解決しようとする課題】
【００１８】
本発明は上記問題点に鑑み、外部機器から、移動体を利用するサービスに関する通信を受信した際に、その通信を、適切な転送先に自動で転送可能とすることにより、オペレータの業務負担を軽減しつつ、利用者がより詳細な現状を把握できるようにした受付システムを提供することを目的とする。
【課題を解決するための手段】
【００１９】
本発明は上記課題を解決するため、請求項１記載の発明は、外部との間で情報を送受信する受付装置と、外部との間で情報を送受信する移動体に搭載される移動体端末とを備えた受付システムであって、  前記受付装置は、所定の外部機器から通信を受信した際に、前記外部機器の外部機器固有情報を受信する外部機器固有情報受信手段と、前記外部機器固有情報と、所定の情報とを関連付けて保存、管理する受付情報管理手段を備え、前記移動体端末は、同移動体の状況情報を前記受付装置に送信する移動体状況報知手段を備え、前記受付情報管理手段は、前記所定の外部機器固有情報と、複数の転送先固有情報とを関連付けて保存し、前記受付装置は、外部機器から通信を受信した際に、前記外部機器固有情報受信手段で同外部機器の外部機器固有情報を受信するとともに、受信した外部機器固有情報と、前記受付情報管理手段内で保存した外部機器固有情報とを照合し、前記受付情報管理手段内に一致する外部機器固有情報がある場合、前記移動体端末から送信される移動体の状況情報に応じて、前記受付情報管理手段内から一の転送先固有情報を選択し、同転送先固有情報に基づいて、前記外部機器から受信した通信を、所定の転送先に転送することを特徴とする構成となっている。
【００２０】
請求項２記載の発明は、外部との間で情報を送受信する受付装置と、外部との間で情報を送受信する移動体に搭載される移動体端末とを備えた受付システムであって、前記受付装置は、所定の外部機器から通信を受信した際に、前記外部機器の外部機器固有情報を受信する外部機器固有情報受信手段と、前記外部機器固有情報と、所定の情報とを関連付けて保存、管理する受付情報管理手段を備え、前記移動体端末は、同移動体の状況情報を前記受付装置に送信する移動体状況報知手段を備え、前記受付情報管理手段は、前記所定の外部機器固有情報と、転送先固有情報とを関連付けて保存し、かつ、前記移動体端末から送信される移動体の状況情報に応じた転送先固有情報を保存、更新し、前記受付装置は、外部機器から通信を受信した際に、前記外部機器固有情報受信手段で同外部機器の外部機器固有情報を受信するとともに、受信した外部機器固有情報と、前記受付情報管理手段内で保存した外部機器固有情報とを照合し、前記受付情報管理手段内に一致する外部機器固有情報がある場合、前記外部機器固有情報と関連付けて保存されている転送先固有情報に基づいて、前記外部機器から受信した通信を、所定の転送先に転送することを特徴とする構成となっている。
【００２１】
請求項３記載の発明は、外部との間で情報を送受信する受付装置と、外部との間で情報を送受信する移動体に搭載される移動体端末とを備えた受付システムであって、前記受付装置は、所定の外部機器から通信を受信した際に、前記外部機器の外部機器固有情報を受信する外部機器固有情報受信手段と、前記移動体端末から送信される所定の条件に応じて変化する移動体の動態情報を受信する動態情報受信手段と、移動体の情報毎に、同移動体の動態情報と転送先固有情報とをそれぞれ関連付けて保存する記憶手段と、前記外部機器固有情報受信手段で受信した外部機器固有情報と、前記通信の内容に基づいて選定した移動体の情報と、前記動態情報受信手段で受信した同移動体の動態情報とをそれぞれ関連付けて保存し、前記動態情報受信手段で新たな移動体の動態情報を受信して、前記外部機器固有情報等と関連付けて保存した移動体の動態情報を、受信した新たな移動体の動態情報に更新して保存する情報管理手段とを備え、前記受付装置は、外部機器から通信を受信した際に、前記外部機器固有情報受信手段で同外部機器の外部機器固有情報を受信するとともに、受信した同外部機器固有情報と、前記情報管理手段で保存した外部機器固有情報とを照合し、前記情報管理手段内に一致する外部機器固有情報がある場合、前記受付装置は、前記情報管理手段内に保存され、または適宜更新される移動体の情報、及び同移動体の動態情報に基づき、前記記憶手段より転送先固有情報を抽出し、外部機器から受信した通信を、抽出した前記転送先固有情報に基づき、所定の転送先に転送することを特徴とする構成となっている。
【００２２】
請求項４記載の発明は、外部との間で情報を送受信する受付装置と、外部との間で情報を送受信する移動体に搭載される移動体端末とを備えた受付システムであって、前記受付装置は、所定の外部機器から通信を受信した際に、前記外部機器の外部機器固有情報を受信する外部機器固有情報受信手段と、前記移動体端末から送信される所定の条件に応じて変化する同移動体の動態情報を受信する動態情報受信手段と、移動体の情報毎に、同移動体の動態情報と転送先固有情報とをそれぞれ関連付けて保存する記憶手段と、前記外部機器固有情報受信手段で受信した外部機器固有情報と、前記通信の内容に基づいて選定した移動体の情報と、前記動態情報受信手段で受信した同移動体の動態情報とをそれぞれ関連付けて保存し、前記動態情報受信手段で新たな移動体の動態情報を受信して、前記外部機器固有情報等と関連付けて保存した移動体の動態情報を、受信した新たな移動体の動態情報に更新して保存する情報管理手段とを備え、前記情報管理手段は、前記情報管理手段内に保存され、または適宜更新される移動体の情報、及び同移動体の動態情報に基づき、前記記憶手段より転送先固有情報を抽出し、抽出した同転送先固有情報を前記外部機器固有情報等と関連付けて保存し、前記受付装置は、外部機器から通信を受信した際に、前記外部機器固有情報受信手段で同外部機器の外部機器固有情報を受信するとともに、受信した同外部機器固有情報と、前記情報管理手段で保存した外部機器固有情報とを照合し、前記情報管理手段内に一致する外部機器固有情報がある場合、前記受付装置は、外部機器から受信した通信を、前記情報管理手段に保存した転送先固有情報に基づき、所定の転送先に転送することを特徴とする構成となっている。
【発明の効果】
【００２３】
請求項１記載の本発明によれば、前記受付装置は、外部機器から通信を受信した際に、前記外部機器固有情報受信手段で同外部機器の外部機器固有情報を受信するとともに、受信した外部機器固有情報と、前記受付情報管理手段内で保存した外部機器固有情報とを照合し、前記受付情報管理手段内に一致する外部機器固有情報がある場合、前記移動体端末から送信される移動体の状況情報に応じて、前記受付情報管理手段内から一の転送先固有情報を選択し、同転送先固有情報に基づいて、前記外部機器から受信した通信を、所定の転送先に転送することにした。これにより、外部機器から、移動体を利用するサービスに関する通信を受信した際に、その通信を、適切な転送先に自動で転送することができる。更に、オペレータの業務負担を軽減しつつ、利用者がより詳細な現状を把握することができる。
【００２４】
請求項２記載の本発明によれば、前記受付装置は、外部機器から通信を受信した際に、前記外部機器固有情報受信手段で同外部機器の外部機器固有情報を受信するとともに、受信した外部機器固有情報と、前記受付情報管理手段内で保存した外部機器固有情報とを照合し、前記受付情報管理手段内に一致する外部機器固有情報がある場合、前記外部機器固有情報と関連付けて保存されている転送先固有情報に基づいて、前記外部機器から受信した通信を、所定の転送先に転送することにした。これにより、外部機器から、移動体を利用するサービスに関する通信を受信した際に、その通信を、適切な転送先に自動で転送することができる。更に、オペレータの業務負担を軽減しつつ、利用者がより詳細な現状を把握することができる。
【００２５】
請求項３または請求項４記載の本発明によれば、請求項１または請求項２記載の発明と同様に、外部機器から、移動体を利用するサービスに関する通信を受信した際に、その通信を、適切な転送先に自動で転送することができる。更に、オペレータの業務負担を軽減しつつ、利用者がより詳細な現状を把握することができる。
【発明を実施するための最良の形態】
【００２６】
以下、本発明の実施の形態を添付図面に基づき詳細に説明する。図１は本発明による受付システムを消防署における救急受付に適用した例を示す模式図、図２は本発明による受付システムの構成を示すシステム構成図、図３は本発明による受付システムの通報の受付から署所への指令までの手順を示すフローチャート、図４は図２の情報管理部で保存、管理する情報を示す説明図、図５は図２の記憶部で保存する情報を示す説明図、図６は図２の情報管理部で保存、管理する情報の他の例を示す説明図、図７は図２の情報管理部で保存、管理する情報の他の例を示す説明図、図８は図２の記憶部で保存する情報の他の例を示す説明図である。
【００２７】
本発明による受付システムは、受付装置が、利用者の機器から、タクシー配車の申込、１１９番通報などを受付ける。そして、タクシー配車の申込、１１９番通報などの受付後、タクシードライバー、隊員などがタクシー配車の申込、１１９番通報などの対応中、受付装置が、利用者から、対応状況の確認などを目的とする連絡を受信した際に、受付装置で受信した利用者の機器からの連絡を、タクシー、緊急車両などの移動体の状況に応じて適切な転送先に転送することを特徴とする。以下、本発明による受付システムの実施の形態について説明する。
【００２８】
図１は本発明による受付システムを消防署における救急受付に適用した例を示す。図１に示すように、消防署本部２は通常、通報者１から救急の１１９番通報を受付けた場合、消防署本部２はその救急の通報内容に応じて、出動する救急隊員および救急車４を指定して隊編成を行い、この隊編成によって指定された救急隊および救急車４が所属する消防署３に出動の指令を行なう。出動の指令を受けた消防署３では、救急隊員が救急車４で通報者１の所在地へ出動する。次に、救急車４が通報者１の所在地に到着後、救急隊員が救急車４に患者を乗せ、受入先となる病院５まで搬送し、患者を病院５に収容する。そして、救急車４が消防署３に帰署し、消防署本部２による出動の指令に対する任務を完了する。一方、救急隊員が通報の対応中に、通報者１などから通報の対応状況、例えば、救急車４の出動状況、搬送される患者の容態などを知るために、消防署本部２に電話があった場合、消防署本部２でその電話について対応することなく、救急車４にその電話を自動転送する。また、救急車４が病院５に到着した後、通報者１などから消防署本部２に電話があった場合にも、病院５にその電話を自動転送する。
【００２９】
このように、救急隊員が通報の対応中に、通報者１などから消防署本部２に電話があった場合、救急車４の状況、例えば、出動、搬送、病着、帰署の各状況に応じて、その電話を、救急車４や病院５に転送する。救急車４が出動または搬送の状況では、その電話を、救急車４に自動転送する。また、救急車４が病着の状況では、その電話を、病院５に自動転送し、救急車４が帰署の状況では救急車４や病院５に自動転送されず、その電話を、消防署本部２にて受信する。
【００３０】
図２は以上説明してきた消防署における救急受付を実現する受付システムの構成である。図中、６は通報者１が所有する携帯電話機、７は消防署本部２の指令室に設けた指令制御装置、８は消防署本部２の指令室に設置する指令台、９は救急車４などの緊急車両に搭載する動態送信機、１０は緊急車両内で救急隊員などが所持する携帯電話機、１１は消防署本部２が管轄する区域の病院に設置する固定電話機である。携帯電話機６、指令制御装置７、携帯電話機１０および固定電話機１１との間は、通信回線を介して情報を送受信し、指令台８は、指令制御装置７で送受信する情報を管理する。動態送信機９は、通信回線を介して情報を指令制御装置７に送信する。なお、図２では説明を容易にするため、指令制御装置７との間で情報を送受信する携帯電話機６、携帯電話機１０および固定電話機１１を各１台にしたが、指令制御装置７は、その他の通報者が所有する携帯電話機、その他の緊急車両に搭載する携帯電話機、その他の病院に設置する固定電話機とも送受信可能である。また、指令制御装置７に情報を送信する動態送信機９も１台にしたが、その他の緊急車両に搭載する動態送信機からも、指令制御装置７に送信可能である。
【００３１】
次に、指令制御装置７および指令台８の構成を説明し、携帯電話機６、指令制御装置７、指令台８、動態送信機９、携帯電話機１０および固定電話機１１の動作を説明する。携帯電話機６は、１１９番通報に関する情報を送受信する。また、携帯電話機６は、１１９番通報の後、救急隊員が通報の対応中に、通報者から救急車の出動状況の確認、搬送される患者の容態確認などを目的とする情報も送受信する。
【００３２】
指令制御装置７は、送受信部７ａと制御部７ｂとを備え、指令台８は、抽出部８ａ、情報管理部８ｂ、記憶部８ｃ、電話機８ｄおよび操作部８ｅを備える。送受信部７ａは、携帯電話機６、動態送信機９、携帯電話機１０および固定電話機１１との間で、１１９番通報および１１９番通報に関連する情報を送受信する。また、送受信部７ａは、動態送信機９から送信される緊急車両の動態情報を受信し、かつ、携帯電話機６からの１１９番通報に含まれる携帯電話機６の電話番号も受信する機能も有する。
【００３３】
制御部７ｂは、送受信部７ａで送受信する１１９番通報および１１９番通報に関連する情報を指令台８へ送り、かつ、指令台８の各部を制御する。また、制御部７ｂは、携帯電話機６などの通信回線を交換する回線交換機能も有する。
【００３４】
抽出部８ａは、送受信部７ａで携帯電話機６から１１９番通報を受信した際に、緊急通報元電話番号、すなわち、携帯電話機６の電話番号を送受信部７ａから抽出する。
【００３５】
情報管理部８ｂは、図４に示すとおり、１１９番通報ごとに、抽出部８ａで抽出した携帯電話機６の電話番号である外部機器固有情報と、１１９番通報の内容から把握される災害種別と、緊急車両の出動先である災害発生地点と、搬送先の病院名と、出動する緊急車両名である移動体の情報と、送受信部７ａで受信した緊急車両の動態情報である移動体の動態情報等が一組の情報として関連付けて保存可能になっている。これら関連付けられた情報はそれぞれ受付番号を付され管理されている。また、情報管理部８ｂは、送受信部７ａで随時受信される新たな緊急車両の動態情報を、制御部７ｂを介して取得して、携帯電話機６の電話番号などと関連付けて保存した緊急車両の動態情報を、取得した新たな緊急車両の動態情報に更新して保存する。
【００３６】
記憶部８ｃは、図５に示すとおり、緊急車両名である移動体の情報と、緊急車両の動態情報である移動体の動態情報と、病院名と、転送先電話番号である転送先固有情報とがそれぞれ関連付けて保存されている。なお、記憶部８ｃは、関連付けて保存されている緊急車両名、緊急車両の動態情報、病院名、転送先電話番号の他に、図示を省略した災害種別、出動先である災害発生地点などの通報受付情報、所属署所、救急隊員氏名、役職などの救急隊員情報、所属署所、車種などの緊急車両情報、災害規模、緊急車両の現在位置、緊急車両の出動可否などの情報を保存することも可能である。
【００３７】
電話機８ｄは、送受信部７ａおよび制御部７ｂを介して携帯電話機６からの１１９番通報を受信して通話を可能にする。なお、電話機８ｄは、一般電話機と同様に、携帯電話機１０および固定電話機１１に電話をかけることも可能である。
【００３８】
制御部７ｂは、操作部８ｅからの入力に応じて各種処理、例えば、１１９番通報に対する受付内容の保存、隊編成、出動の指令などを実行する。
【００３９】
動態送信機９は、消防署本部２が管轄する区域の各消防署の救急車や消防車に搭載され、これらの救急車や消防車の活動状況、すなわち、出動、搬送などの動態情報を送受信部７ａに送信する。なお、救急車と消防車の動態情報を、送受信部７ａに送信するタイミングは、予め設定することが可能であり、例えば、車両の動態が出動から搬送に変化したときなどの動態の状態が変化した場合に、動態情報が送受信部７ａに送信されるように設定しておくことが可能である。
【００４０】
携帯電話機１０は、携帯電話機６、電話機８ｄまたは固定電話機１１との間で、送受信部７ａを介して１１９番通報に関連する情報を送受信する。
【００４１】
固定電話機１１は、携帯電話機６、電話機８ｄまたは携帯電話機１０との間で、送受信部７ａを介して１１９番通報に関連する情報を送受信する。
【００４２】
次に、図３乃至図５を用いて、以上説明してきた受付システムの１１９番通報の受付から署所への指令までの一連の動作を説明する。まず、送受信部７ａは、通報者１の携帯電話機６からの１１９番通報を受信する（Ｓ１）。この受信の際、携帯電話機６の電話番号も併せて受信する。
【００４３】
次に、抽出部８ａは、送受信部７ａによって受信した携帯電話機６の電話番号を、送受信部７ａから抽出する（Ｓ２）。情報管理部８ｂは、抽出部８ａによって抽出した携帯電話機６の電話番号を、情報管理部８ｂ内の１１９番通報ごとに保存した一又は複数の携帯電話機等の電話番号と照合する（Ｓ３）。情報管理部８ｂは、情報管理部８ｂによって保存した一又は複数の携帯電話機等の電話番号の中に、携帯電話機６の電話番号に一致する電話番号が存在するか否かを判断する。
【００４４】
まず、情報管理部８ｂで保存されている一又は複数の携帯電話機等の電話番号の中に、携帯電話機６の電話番号に一致する電話番号が存在しないと判断された場合について、以下に説明する。送受信部７ａによって受信した携帯電話機６からの１１９番通報を、電話機８ｄで受信する。そして、電話機８ｄで受信するため、制御部７ｂは、電話機８ｄを呼び出し、指令員が、電話機８ｄによって、携帯電話機６からの１１９番通報を受信する。指令員は、１１９番通報の内容に応じて、操作部８ｅで、災害種別、出動先である災害発生地点などの入力を行なう。制御部７ｂは、操作部８ｅでの災害種別、出動先である災害発生地点などの入力を認識すると、情報管理部８ｂに対して、災害種別、出動先である災害発生地点などの通報受付情報の保存を指示する。情報管理部８ｂは、制御部７ｂからの指示により、制御部７ｂを介して、記憶部８ｃに保存されている災害種別、出動先である災害発生地点などの通報受付情報を抽出して保存し、携帯電話機６からの１１９番通報を受付ける（Ｓ５）。
【００４５】
そして、消防署本部２では、災害種別、出動先である災害発生地点等に応じて、出動する救急隊員、緊急車両が決定され、適切な署所に指令が発令される（Ｓ６）。
【００４６】
なお、前述の情報管理部８ｂでの災害種別、出動先である災害発生地点等の保存は、図４で示すとおり、抽出部８ａで抽出した携帯電話機６の電話番号である外部機器固有情報と、１１９番通報の内容から把握される災害種別と、緊急車両の出動先である災害発生地点と、搬送先の病院名と、出動する緊急車両名である移動体の情報と、送受信部７ａで受信した緊急車両の動態情報である移動体の動態情報とが情報管理部８ｂでそれぞれ関連付けて保存され、これら関連付けられた情報はそれぞれ受付番号を付され管理される。また、情報管理部８ｂは、送受信部７ａで随時受信される新たな緊急車両の動態情報を、制御部７ｂを介して取得し、携帯電話機６の電話番号などと関連付けて保存した緊急車両の動態情報を、取得した新たな緊急車両の動態情報に更新して保存する。
【００４７】
更に、Ｓ６のステップで説明した適切な署所に出動が発令されると、出動指令を受けた署所から緊急車両が出動し、任務を完了した後、緊急車両が署所に帰署する。そして、任務を完了した受付番号の案件については、Ｓ３のステップで説明した電話番号の照合対象外となるように、情報管理部８ｂで処理される。
【００４８】
一方、情報管理部８ｂで保存されている一又は複数の携帯電話機等の電話番号の中に、携帯電話機の電話番号に一致する電話番号が存在すると判断された場合について、以下に説明する。なお、以下の説明では、「０８０（ＡＡＡＡ）ＢＢＢＢ」の電話番号を有する携帯電話機６より受けた通報について、通報対応中であることを前提に説明する。情報管理部８ｂは、抽出部８ａによって抽出した電話番号「０８０（ＡＡＡＡ）ＢＢＢＢ」と一致する電話番号を情報管理部８ｂの中に存在すると判断すると、図４に示すとおり、情報管理部８ｂ内の「０８０（ＡＡＡＡ）ＢＢＢＢ」に関連付けて保存されている緊急車両名「救急車1号」、緊急車両の動態情報「病着」、及び病院名「○○病院」と、同一の組み合わせの情報を記憶部８ｃに保存された情報の中より検索する。前述のとおり、記憶部８ｃには、緊急車両名、緊急車両の動態情報、病院名、転送先電話番号が関連付けて保存されているので、情報管理部８ｂは、記憶部８ｃに保存されている情報から検索対象と同一の組み合わせの情報を検索し、図５にあるように、記憶部８ｃ内の当該組み合わせの情報に関連付けて保存されている転送先電話番号「０４４（ＡＡＡＡ）ＢＢＢＢ」を抽出する。そして、制御部７ｂでは、送受信部７ａによって携帯電話機６から受信した１１９番通報を、情報管理部８ｂによって記憶部８ｃから抽出された転送先の電話機の電話番号「０４４（ＡＡＡ）ＢＢＢＢ」を用いて、この電話番号「０４４（ＡＡＡ）ＢＢＢＢ」の電話機に転送する（Ｓ４）。これにより、携帯電話機６から受信した１１９番通報が、送受信部７ａを介して、「○○病院」に設置された固定電話機１１に転送され、携帯電話機６と固定電話機１１との間で、通話が可能となる。
【００４９】
また、情報管理部８ｂで保存されている一又は複数の携帯電話機等の電話番号の中に、携帯電話機６の電話番号に一致する電話番号が存在すると判断された場合であり、かつ、携帯電話機６から受信した１１９番通報が、送受信部７ａを介して、緊急車両内で救急隊員が所持する携帯電話機１０に転送される場合を以下に説明する。なお、以下の説明では、「０８０（ＣＣＣＣ）ＤＤＤＤ」の電話番号を有する携帯電話機６より受けた通報について、通報対応中であることを前提に説明する。情報管理部８ｂは、抽出部８ａによって抽出した電話番号「０８０（ＣＣＣＣ）ＤＤＤＤ」と一致する電話番号を情報管理部８ｂの中に存在すると判断すると、図４に示すとおり、情報管理部８ｂ内の「０８０（ＣＣＣＣ）ＤＤＤＤ」に関連付けて保存されている緊急車両名「救急車２号」、緊急車両の動態情報「出動」、及び病院名「未決」と、同一の組み合わせの情報を記憶部８ｃに保存された情報の中より検索する。なお、病院名「未決」とは、患者の搬送先が定まっていない状態を示す。前述のとおり、記憶部８ｃには、緊急車両名、緊急車両の動態情報、病院名、転送先電話番号が関連付けて保存されているので、情報管理部８ｂは、記憶部８ｃに保存されている情報から検索対象と同一の組み合わせの情報を検索し、図５にあるように、記憶部８ｃ内の当該組み合わせの情報に関連付けて保存されている転送先電話番号「０９０（ＡＡＡＡ）ＣＣＣＣ」を抽出する。そして、制御部７ｂでは、送受信部７ａによって携帯電話機６から受信した１１９番通報を、情報管理部８ｂによって記憶部８ｃから抽出された転送先の電話機の電話番号「０９０（ＡＡＡＡ）ＣＣＣＣ」を用いて、この電話番号「０９０（ＡＡＡＡ）ＣＣＣＣ」の電話機に転送する（Ｓ４）。これにより、携帯電話機６から受信した１１９番通報が、送受信部７ａを介して、緊急車両内で救急隊員が所持する携帯電話機１０に転送され、携帯電話機６と携帯電話機１０との間で、通話が可能となる。
【００５０】
以上説明してきた実施の形態による本発明の受付システムによれば、指令室の指令制御装置７および指令台８が、１１９番通報の通報者が所有する携帯電話機６から、隊員が通報の対応中に、救急車４の出動状況の確認、搬送される患者の容態確認などを目的とする電話を受信した際に、その受信した電話を、救急車４や病院５といった適切な転送先となる携帯電話機１０や固定電話機１１などに転送することができる。このため、指令員は電話機８ｄによって１１９番通報に応答する必要がないので、指令員の業務の負担を軽減しつつ、１１９番通報の通報者がより詳細な現状を把握することができる。
【００５１】
次に、図２、図３、図５および図６を用いて、本発明による受付システムの第２の実施の形態について説明する。図６に示すように、第２の実施の形態における情報管理部８ｂは、緊急車両名、緊急車両の動態情報、及び病院名と併せて、転送先電話番号も関連付けて保存し、制御部７ｂは、情報管理部８ｂ内に保存されている転送先電話番号を用いて、この電話番号の電話機に転送することを特徴とする。つまり、情報管理部８ｂは、抽出部８ａで抽出した携帯電話機６の電話番号である外部機器固有情報と、１１９番通報の内容から把握される災害種別と、緊急車両の出動先である災害発生地点と、搬送先の病院名と、出動する緊急車両名である移動体の情報と、送受信部７ａで受信した緊急車両の動態情報である移動体の動態情報と併せて、この受付番号の案件について問い合わせがあった場合に転送されるべき転送先電話番号を保存するものである。この点が、情報管理部８ｂが、転送が必要になって始めて記憶部８ｃから転送先電話番号を取得する前述の実施の形態と、第２の実施の形態の異なる点である。したがって、この点以外の箇所についての第２の実施の形態の受付システムは、前述の実施の形態と同様に動作する。
【００５２】
情報管理部８ｂでの記憶部８ｃからの転送先電話番号の取得は以下のとおり行われる。図６に示す情報管理部８ｂ内の「０８０（ＡＡＡＡ）ＢＢＢＢ」の電話番号に関連付けて保存されている緊急車両名「救急車１号」、緊急車両の動態情報「病着」、及び病院名「○○病院」と、同一の組み合わせの情報を記憶部８ｃに保存された情報の中より検索する。前述のとおり、記憶部８ｃには、緊急車両名、緊急車両の動態情報、病院名、転送先電話番号が関連付けられて保存されているので、情報管理部８ｂは、記憶部８ｃに保存されている情報から検索対象と同一の組み合わせの情報を検索し、図５にあるように、記憶部８ｃ内の当該組み合わせに関連付けて保存されている転送先電話番号「０４４（ＡＡＡ）ＢＢＢＢ」を抽出する。転送先電話番号抽出後、この転送先電話番号は、情報管理部８ｂに保存されている「０８０（ＡＡＡＡ）ＢＢＢＢ」の電話番号に関連付けられている情報と併せて保存される。なお、情報管理部８ｂの転送先電話番号の取得は、情報管理部８ｂに保存されている動態情報の内容が更新される度に行われる。
【００５３】
以上説明してきた第２の実施の形態による本発明の受付システムによれば、前述の実施の形態による受付システムと同様に、指令室の指令制御装置７および指令台８が、１１９番通報の通報者が所有する携帯電話機６から、隊員が通報の対応中に、救急車４などの出動状況の確認、搬送される患者の容態確認などを目的とする電話を受信した際に、その受信した電話を、救急車４や病院５といった適切な転送先となる携帯電話機１０や固定電話機１１などに転送することができる。このため、指令員は電話機８ｄによって１１９番通報に応答する必要がないので、指令員の業務の負担を軽減しつつ、１１９番通報の通報者がより詳細な現状を把握することができる。
【００５４】
また、前述の実施の形態による受付システムでは、１１９番通報の通報者が所有する携帯電話機６から、隊員が通報の対応中に、救急車４の出動状況の確認、搬送される患者の容態確認などを目的とする電話を受信した際に、この電話の受信後、情報管理部８ｂが、記憶部８ｃから転送先電話番号を抽出するようになっている。これに対して、第２の実施の形態による受付システムでは、上述のように電話を受信した際には、既に情報管理部８ｂが記憶部８ｃから抽出した転送先電話番号を、情報管理部８ｂ内に保存しており、この情報管理部８ｂ内に保存されている転送先電話番号を用いて直接的に転送することができるので、転送時の動作を速くすることができる。
【００５５】
次に、図２、図３、図７および図８を用いて、本発明による受付システムの第３の実施の形態について説明する。第３の実施の形態における受付システムは、情報管理部８ｂで、転送先となり得る可能性のある複数の転送先固有情報を、外部機器固有情報、緊急車両の動態情報等と関連付けて保存し、さらに、制御部７ｂで、情報管理部８ｂによって保存されている緊急車両の動態情報に応じて、この保存した複数の転送先電話番号からいずれか１つを選択し、電話の転送に利用するようにしたことを特徴とする。この特徴部について、以下で詳細に説明する。なお、以下で説明する以外の部分については、前述の実施の形態と構成および動作が同様なため、説明を省略する。
【００５６】
第３の実施の形態の説明では、図２に示すとおり、転送先となり得る可能性のある場所を、緊急車両に備えつけの携帯電話機１０と病院に備えつけの固定電話機１１とする。情報管理部８ｂでは、図７に示すとおり、災害種別、緊急車両の出動先である災害発生地点、外部機器固有情報、搬送先の病院名、移動体の情報、移動体の動態情報、緊急車両の電話番号である転送先固有情報１、病院の電話番号である転送先固有情報２等が一組の情報として関連付けて保存可能になっている。これら関連付けられた情報はそれぞれ受付番号を付され管理されている。消防署本部２で１１９番通報を受付けると、抽出部８ａで抽出した携帯電話機６の電話番号である外部機器固有情報と、１１９番通報の内容から把握される災害種別と、緊急車両の出動先である災害発生地点と、搬送先の病院名等が情報管理部２ｂで保存される。そして、消防署本部２において、災害種別、出動先である災害発生地点等に応じて、出動する救急隊員、緊急車両、搬送先である病院が決定されると、これらの情報も災害種別、外部機器固有情報等に関連付けて情報管理部２ｂで保存される。
【００５７】
第３の実施の形態の記憶部８ｃでは、図８（Ａ）に示すとおり、管轄区域内の緊急車両に搭載される電話機の電話番号が緊急車両名である移動体の情報と関連付けて保存されている。また図８（Ｂ）に示すとおり、管轄区域内の病院の電話番号も、病院名である転送先の情報と関連付けて保存されている。
【００５８】
情報管理部８ｂ内で一の受付番号で管理される情報、例えば図７に示す受付番号「２００７０００１」の案件について、出動する緊急車両が決定され、この決定された緊急車両名が情報管理部８ｂに保存されたことを制御部７ｂが認識すると、制御部７ｂは情報管理部８ｂに保存された緊急車両名と同一の緊急車両名を記憶部８ｃに保存されている緊急車両名の中から検索し、これに関連付けられた電話番号を抽出し、情報管理部８ｂに受付番号「２００７０００１」と関連付けて保存させる。なお、搬送する病院名が決定したときも上記と同様の動作で病院の電話番号が情報管理部８ｂの受付番号「２００７０００１」と関連付けられて保存される。
【００５９】
また、制御部７ｂでは、図３のＳ３において、情報管理部８ｂで保存されている一又は複数の携帯電話機等の電話番号の中に、携帯電話機の電話番号に一致する電話番号が存在すると判断された際、情報管理部２ｂで保存される動態情報に応じて、情報管理部８ｂで保存された複数の転送先固有情報からいずれか１つを選択可能とするように設定可能となっており、例えば、移動体の動態情報が「出動」、「搬送」の場合は転送先固有情報１の電話番号で電話を転送し、また、移動体の動態情報が「病着」、「帰署」の場合は転送先固有情報２の電話番号で電話を転送するように設定することが可能である。
【００６０】
第３の実施の形態の受付システムは上記のような構成をとり、図３のＳ３において、情報管理部８ｂで保存されている一又は複数の携帯電話機等の電話番号の中に、携帯電話機の電話番号に一致する電話番号が存在すると判断されると、制御部７ｂは移動体の動態情報を情報管理部８ｂから検出し、この動態情報に応じた転送先固有情報を検出し、通報者からの電話をこの電話番号を用いて転送する。
【００６１】
以上説明してきた第３の実施の形態による本発明の受付システムによれば、前述の実施の形態による受付システムと同様に、指令室の指令制御装置７および指令台８が、１１９番通報の通報者が所有する携帯電話機６から、隊員が通報の対応中に、救急車４の出動状況の確認、搬送される患者の容態の確認などを目的とする電話をあらためて受信した際に、その受信した電話を、救急車４や病院５といった適切な転送先となる携帯電話機１０や固定電話機１１などに転送することができる。このため、指令員は電話機８ｄによって１１９番通報に応答する必要がないので、指令員の業務の負担を軽減しつつ、１１９番通報の通報者がより詳細な現状を把握することができる。
【００６２】
これまで説明してきたそれぞれの実施の形態に示す携帯電話機６や固定電話機１１はその他の種類の電話機であってもよい。例えば、ＩＰ電話機を使用してもよい。また、携帯電話機１０は、救急隊員が通話できればよいので、緊急車両に搭載された無線通信機であってもよい。なお、緊急車両へ電話を転送する際、緊急車両に搭載した携帯電話機１０に電話を転送するようにすると、消防無線などを占有せず、消防署本部２と緊急車両間の業務連絡、通話などの業務の妨げにならない。更に、緊急車両への設備の追加または改造などをしなくても、携帯電話機の増設または変更などにより、転送先の追加、変更を行なうことが可能になる。
【００６３】
また、これまで消防署における救急受付を実現する受付システムを例に説明してきたが、本発明の受付システムはこれに限定されることなく、宅配業における集荷や再配達などの申込受付やタクシー配車の申込受付などを受付けるための受付システムにも適用することができる。この場合、利用者の所有する機器から、申込受付後にドライバーが集荷や再配達、タクシー配車などに対応中に、申込受付後の対応状況の確認などを目的とする連絡を受信した際、宅配トラック、タクシーなどの移動体の動態状況に応じて、宅配トラックやタクシーなどのドライバーが所有する機器に転送できる。このように、本発明の受付システムは、利用者が所有する機器から、移動体を利用するサービスの申込受付後の対応状況の確認などを目的とする連絡を受信した際に、その受信した連絡を、適切な転送先に転送することができる。更に、オペレータは自身の所有する機器によって、受信した連絡に応答する必要がないので、オペレータの業務負担を軽減しつつ、利用者がより詳細な現状を把握することができる。
【図面の簡単な説明】
【００６４】
【図１】本発明による受付システムを消防署における救急受付に適用した例を示す模式図である。
【図２】本発明による受付システムの構成を示すシステム構成図である。
【図３】本発明による受付システムの通報の受付から署所への指令までの手順を示すフローチャートである。
【図４】図２の情報管理部で保存、管理する情報を示す説明図である。
【図５】図２の記憶部で保存する情報を示す説明図である。
【図６】図２の情報管理部で保存、管理する情報の他の例を示す説明図である。
【図７】図２の情報管理部で保存、管理する情報の他の例を示す説明図である。
【図８】図２の記憶部で保存する情報の他の例を示す説明図である。
【図９】従来による電話受付システムの構成を示すブロック図である。
【図１０】従来による電話受付システムの動作を模式的に示す説明図である。
【符号の説明】
【００６５】
１  通報者
２  消防署本部
３  消防署
４  救急車
５  病院
６  携帯電話機
７  指令制御装置
７ａ  送受信部
７ｂ  制御部
８  指令台
８ａ  抽出部
８ｂ  情報管理部
８ｃ  記憶部
８ｄ  電話機
８ｅ  操作部
９  動態送信機
１０  携帯電話機
１１  固定電話機
【図１】
2009071669.tif 000003
【図２】
2009071669.tif 000004
【図３】
2009071669.tif 000005
【図４】
2009071669.tif 000006
【図５】
2009071669.tif 000007
【図６】
2009071669.tif 000008
【図７】
2009071669.tif 000009
【図８】
2009071669.tif 000010
【図９】
2009071669.tif 000011
【図１０】
2009071669.tif 000012